(57)【要約】【課題】操作者の判断や操作をなくして、受信した緊急信号を送信し、通信エリア内の全ての移動局で一斉にかかる緊急信号を取得可能とする。【解決手段】無線通信システムの統制局２には、地上デジタル放送局からの１セグメント放送を受信する受信局１が設けられている。受信局１がこの１セグメント放送から災害情報の緊急信号を受信すると、これを統制局２に送ることにより、災害情報の移動局４，５への一斉通信を起動する。これにより、統制局２は、通信切断信号を基地局から送信することにより、基地局通信モードにある基地局４を基地局待受状態にし、また、一斉通信呼出信号を基地局３から送信することにより、移動局間直接通信モードにある移動局５を基地局待受状態にする。しかる後、統制局２は、緊急信号の災害情報を基地局３から送信する。【選択図】図１
2009060270.tif 000002
【特許請求の範囲】
【請求項１】
移動局と基地局との間の通信を統制する無線通信システムにおいて、
外部からの１セグメント放送の緊急信号を受信する受信局を設け、
該無線局で受信した該緊急信号を各移動局に一斉に通信することを特徴とする無線通信システムの一斉通信方式。
【発明の詳細な説明】
【技術分野】
【０００１】
本発明は、移動局間の通信や基地局と移動局との間の通信を可能とした無線通信システムに係り、特に、地上デジタル放送の一セグメント放送によって災害の緊急信号を受信し、移動局に一斉に通報できるようにした無線通信システムの一斉通信方式に関する。
【背景技術】
【０００２】
従来、地上デジタル放送の１セグメント放送を使用して、防災情報を送信し、ユーザが携帯する端末装置が一斉に受信できるようにした防災システムが知られている（例えば、特許文献１参照）。
【０００３】
図３はかかる地上デジタル放送の１セグメント放送を使用して送られてくる防災情報を移動局に一斉に通信できるようにした無線通信システムの一従来例の要部を示す図である。
【０００４】
同図において、無線通信システムでの統制局１００では、地上デジタル放送の１セグメント放送を受信するテレビ受像機１０１が設けられており、また、災害情報を移動局（図示せず）に一斉通知するための統制卓１０２が設けられている。
【０００５】
地上デジタル放送局などの公共期間から１セグメント放送で緊急信号が放送され、その災害情報がテレビ受像機で画面表示されると、防災担当者がこの画面で災害情報を認知し、その優先度を判断して移動局に緊急に通知すべきものと判断したときには、統制卓１０２を操作して基地局２００と通信中の移動局との通信を一斉に切断して、これら移動局を基地局との通信の制御チャンネルを監視している状態にし、しかる後、災害情報を基地局２００から送信して移動局が一斉にこの災害情報を受信できるようにする。
【特許文献１】特開２００６ー２７９３７６号公報
【発明の開示】
【発明が解決しようとする課題】
【０００６】
ところで、上記従来の無線通信システムでは、防災担当者が介在し、この防災担当者の災害情報の認知や優先度の判断、さらには、かかる災害情報の移動局への一斉通信などのための操作が行なわれるものであるから、これに時間を要し、災害通知を受けてから移動局への一斉通信の起動に遅れが生じたり、また、防災担当者の誤判断や誤操作が生じて、必要とする災害情報が欠落したりする可能性がある。
【０００７】
本発明は、かかる問題を解消し、操作者の判断や操作をなくして、受信した緊急信号を送信し、通信エリア内の全ての移動局で一斉にかかる緊急信号を取得可能とした無線通信システムの一斉通信方式を提供することにある。
【課題を解決するための手段】
【０００８】
上記目的を達成するために、本発明は、移動局と基地局との間の通信を統制する無線通信システムであって、外部からの緊急信号を受信する受信局を設け、該無線局で受信した該緊急信号を各移動局に一斉に通信するものである。
【発明の効果】
【０００９】
本発明によると、操作者の操作などの人為的な要件を除いて、いずれの状態にある移動局に対しても、一斉に緊急信号を受信することが可能となり、緊急信号を迅速にかつ正確に移動局に送ることが可能となる。
【発明を実施するための最良の形態】
【００１０】
以下、本発明の実施形態を図面を用いて説明する。
【００１１】
図１は本発明による無線通信システムの一斉通信方式の一実施形態を示すブロック構成図であって、１は受信局、２は統制局、３は基地局、４，５は移動局である。
【００１２】
同図において、統制局２は、移動局とともに、無線通信システムを構成しており、基地局３により、移動局・基地局３間の通信や２つの移動局間の通信ができるようにしている。ここで、移動局が基地局３と通信を行なうモードや基地局３を介して他の移動局と通信を行なう移動局の通信モードを基地局通信モードといい、基地局３を介さずに、他の移動局と通信を行なう通信モードを移動局間直接通信モードという。以下では、移動局４は基地局通信モードの状態にあり、移動局５は、図示しない他の移動局との移動局間直接通信モードにあるものとする。また、この実施形態で対象とする移動局は、基地局３の通信エリア内に存在する移動局の全てであるが、ここでは、説明の便宜上、移動局４，５が基地局３の通信エリア内した対象の移動局とする。
【００１３】
この実施形態では、さらに、統制局２に、図示しない地上デジタル放送を行なう設備（以下、地上デジタル放送局という）からの１セグメント放送による緊急信号を受信する受信局１が設けられており、基地局３を備えた統制局２とこの受信局とにより、地上デジタル放送局からの災害情報などの緊急信号を基地局３の通信エリア内の全ての移動局に一斉に送信する防災無線システムが構成される。
【００１４】
即ち、図示しない地上デジタル放送局から災害情報などからなる緊急信号が送信されると、これが受信局１で受信される。統制局２は受信局１からこの受信された緊急信号を取得し、基地局３からこの緊急信号をその通信エリア内の全ての移動局、この場合には、移動局４，５に一斉に送信する。ここで、かかる緊急信号は、例えば、災害情報に緊急信号であることを示すコード（緊急コード）に付加された信号形態をなしており、受信局１がこの緊急コードを受信すると、統制局２が基地局３から指令信号を送信して移動局４，５を一斉に災害情報を受信するための待機状態にし、しかる後、災害情報を基地局３から送信して移動局４，５に受信させる。この場合、受信局１にメモリを設けて受信した災害情報を記憶し、これを繰り返し再生して統制局２に送ることにより、これら移動局４，５に同じ災害情報を繰り返し送信して、これら移動局４，５でそのユーザに災害を繰り返し報知するようにしてもよい。
【００１５】
図２はこの実施形態での緊急信号の一斉通信のための動作の流れの一具体例を示すフローチャートである。
【００１６】
同図において、受信局１は、図示しない地上デジタル放送局から１セグメント放送で災害情報からなる緊急信号を受信すると（ステップＳ１）、この緊急信号を統制局２に送信することにより、この緊急信号を各移動局に一斉に送信するように、統制局２に災害情報の一斉通信を起動させる（ステップＳ２）。これにより、統制局２は、受信局１からこの緊急信号を受信すると、基地局３に通信切断信号を送り（ステップＳ３）、また、基地局３を介して比較的長い時間（例えば、２５秒間）一斉通信呼出信号を送信する（ステップＳ４）。
【００１７】
この通信切断信号により、基地局通信モードの状態にある移動局４に対しては（ステップＳ５）、基地局３で移動局４との通信が遮断され、これにより、この移動局４は、そのまま基地局３との通信可能状態を保って基地局３から通信が開始されるのを待つ基地局通信待受状態に保持される（ステップＳ６）。この移動局４と通信を行なっていた（基地局通信モードの）他の移動局についても、同様である。
【００１８】
また、移動局間直接通信モードの状態にある移動局５では、基地局３を介さずに、他の移動局と通信を行なっているが（ステップＳ７）、かかる通信モードにある場合も、所定の期間毎に所定の時間ずつ基地局３との通信を可能とする基地局通信待受時間が設定され（ステップＳ８）、この基地局通信待受時間では、他の移動局との通信が中断されて、基地局３からの通信を待機する。
【００１９】
このように、移動局間直接通信モードの状態にある移動局５では、他の移動局と直接通信する状態と基地局通信待受状態とが繰り返されるものであるが、このような状態が繰り返されているときに基地局３から比較的長い時間一斉通信呼出し信号が送信されてくると、この一斉通信呼出信号の送信期間中、移動局５は基地局通信待受状態となり、この一斉通信呼出信号を受信することになる。移動局５は、このように、基地局通信待受状態にあるときに一斉通信呼出信号を受信すると、通信モードが切り替えられ（ステップＳ９）、基地局通信待受状態がそのまま継続することになる。
【００２０】
このようにして、基地局通信モードの状態にあった移動局４が通信切断信号により、また、移動局直接通信モードの状態にあった移動局５が一斉通信呼出信号により、いずれも基地局通信待受状態となる（ステップＳ６，Ｓ９）。しかる後、統制局２が緊急信号での災害情報を基地局３から送信させる（ステップＳ１０）。これにより、基地局通信待受状態にある移動局４，５は一斉にこの災害情報を受信することが可能となる（ステップＳ１１，Ｓ１２）。
【００２１】
ここで、統制局２では、通信切断信号や一斉通信呼出信号がメモリに格納されており、受信局１から受信された緊急信号が供給されると、例えば、この緊急信号のコードをもとにメモリからこれら通信切断信号や一斉通信呼出信号を呼び出し、これを基地局３に供給する。これにより、上記のように、基地局通信モードの状態にある基地局４も、また、移動局間直接通信モードの状態にある移動局５も、その通信モードに関係なく、一斉に基地局通信待受状態にすることができ、このような一斉通信の起動も、人手による操作を必要とせずに、行なわれることになる。
【００２２】
また、統制局２では、通信局１から送られてきた緊急信号の災害情報をメモリに格納し、これを繰り返し読み出して基地局３から送信し、各移動局４，５がこの災害情報を繰り返し受信できるようにすることもできる。
【図面の簡単な説明】
【００２３】
【図１】本発明による無線通信システムの一斉通信方式の一実施形態をブロック構成図である。
【図２】図１に示す無線通信システムの一斉通信のための処理の流れの一具体例を示すフローチャートである。
【図３】従来の無線通信システムの一斉通信方式の一例の要部を示す図である。
【符号の説明】
【００２４】
１  受信局
２  統制局
３  基地局
４，５  移動局
【図１】
2009060270.tif 000003
【図２】
2009060270.tif 000004
【図３】
2009060270.tif 000005